(57)【要約】【課題】日本語文章を機械翻訳するときに用いられる汎用のアプリケーションで機械翻訳がし易いように日本語文章を修正する日本語文章修正装置を提供する。【解決手段】機械翻訳し易い文章構成、用字・用語およびスタイルがそれぞれ登録された文章構成データベース、用字・用語データベースおよびスタイルデータベースと、読み込む日本語原文章から上記構成、用字・用語またはスタイルに関するルールに反する構成、用字・用語またはスタイルを抽出する修正箇所抽出手段と、上記抽出された構成、用字・用語またはスタイルを表示する表示手段と、外部から入力されたデータを用いて上記抽出された構成、用字・用語またはスタイルを訂正、追加または削除して上記日本語原文章を修正する修正手段と、修正により得られた翻訳易文章を出力する出力手段と、を有する。【選択図】図１
2007316834.tif 000002
【特許請求の範囲】
【請求項１】
機械翻訳し易い構成に関するルールが登録された文章構成データベースと、
機械翻訳し易い用字・用語に関するルールが登録された用字・用語データベースと、
機械翻訳し易いスタイルに関するルールが登録されたスタイルデータベースと、
読み込む日本語原文章から上記構成、用字・用語またはスタイルに関するルールに反する構成、用字・用語またはスタイルを抽出する修正箇所抽出手段と、
上記抽出された構成、用字・用語またはスタイルを表示する表示手段と、
外部から入力されたデータを用いて上記抽出された構成、用字・用語またはスタイルを訂正、追加または削除して上記日本語原文章を修正する修正手段と、
修正により得られた翻訳易文章を出力する出力手段と、
を有することを特徴とする日本語文章修正装置。
【請求項２】
日本語原文章を機械翻訳し易い翻訳易文章に修正する日本語文章修正方法において、
読み込む上記日本語原文章から翻訳し易い構成、用字・用語またはスタイルに関するルールに反する構成、用字・用語またはスタイルを抽出する修正箇所抽出ステップと、
上記抽出された構成、用字・用語またはスタイルを表示する表示ステップと、
外部から入力されたデータを用いて上記抽出された構成、用字・用語またはスタイルを訂正、追加または削除して上記日本語原文章を修正する修正ステップと、
修正により得られた上記翻訳易文章を出力する出力ステップと、
を有する日本語文章修正方法。
【請求項３】
日本語原文章を機械翻訳し易い翻訳易文章に修正する手順をコンピュータに実行させるプログラムにおいて、
上記コンピュータは、
機械翻訳し易い構成に関するルールが登録された文章構成データベースと、
機械翻訳し易い用字・用語に関するルールが登録された用字・用語データベースと、
機械翻訳し易いスタイルに関するルールが登録されたスタイルデータベースと、
を備え、
上記手順は、
読み込む上記日本語原文章から翻訳し易い構成、用字・用語またはスタイルに関するルールに反する構成、用字・用語またはスタイルを抽出する手順と、
上記抽出された構成、用字・用語またはスタイルを表示する手順と、
外部から入力されたデータを用いて上記抽出された構成、用字・用語またはスタイルを訂正、追加または削除して上記日本語原文章を修正する手順と、
修正により得られた上記翻訳易文章を出力する手順と、
を有することを特徴とするプログラム。
【発明の詳細な説明】
【技術分野】
【０００１】
この発明は、日本語で作成された原文章を機械翻訳し易い日本語の文章に修正する日本語文章修正装置、日本語文章修正方法および日本語文章修正のためのプログラムに関する。
【背景技術】
【０００２】
従来、機械翻訳の前に機械翻訳し易い文章に処理するシステムは、入力された文書中の機械翻訳を阻害する用語を検索する第１の検索手段と、該阻害用語が検索された場合、該阻害用語に対応する翻訳しやすい用語を蓄積したデータベースに基づいて、翻訳しやすい用語に置換する置換手段と、入力された文書中の記号を検索するための第２の検索手段と、該記号が検索された場合、該記号の該当個所に翻訳不要処理制御コ−ドを自動挿入する手段と、入力された文書中の長文を検索する第３の検索手段と、長文が検索された場合、該当個所の文章を強制分割処理するための強制文章分割処理制御コ−ドを自動挿入する手段と、前処理の終了した文書を出力する手段を備える（例えば、特許文献１参照）。
【０００３】
【特許文献１】特開２００３−１２２７４８号公報
【発明の開示】
【発明が解決しようとする課題】
【０００４】
しかし、前処理された日本語の文章には、制御コードが付与されているので、日本語文章を機械翻訳するときに用いられるアプリケーションが、その制御コードを判別する機能を有するものに限られるという問題がある。
【０００５】
この発明の目的は、日本語文章を機械翻訳するときに用いられる汎用のアプリケーションで機械翻訳がし易いように日本語文章を修正する日本語文章修正装置、日本語文章修正方法および日本語文章修正のためのプログラムを提供することである。
【課題を解決するための手段】
【０００６】
この発明に係わる日本語文章修正装置は、機械翻訳し易い構成に関するルールが登録された文章構成データベースと、機械翻訳し易い用字・用語に関するルールが登録された用字・用語データベースと、機械翻訳し易いスタイルに関するルールが登録されたスタイルデータベースと、読み込む日本語原文章から上記構成、用字・用語またはスタイルに関するルールに反する構成、用字・用語またはスタイルを抽出する修正箇所抽出手段と、上記抽出された構成、用字・用語またはスタイルを表示する表示手段と、外部から入力されたデータを用いて上記抽出された構成、用字・用語またはスタイルを訂正、追加または削除して上記日本語原文章を修正する修正手段と、修正により得られた翻訳易文章を出力する出力手段と、を有する。
【発明の効果】
【０００７】
この発明に係わる日本語文章修正装置の効果は、制御コードを含まない機械翻訳のし易い日本語文章に修正されるので、汎用の日本語文章を機械翻訳するアプリケーションで機械翻訳することができることである。
【発明を実施するための最良の形態】
【０００８】
実施の形態１．
図１は、この発明の実施の形態１に係わる日本語文章修正装置の機能ブロック図である。図２は、この発明の実施の形態１に係わる日本語文章修正装置の構成図である。
この発明の実施の形態１に係わる日本語文章修正装置１は、図１と図２とに示すように、機械翻訳し易い文章構成に関するルールが登録された文章構成データベース２、機械翻訳し易い用字・用語に関するルールが登録された用字・用語データベース３、機械翻訳し易いスタイルに関するルールが登録されたスタイルデータベース４、読み込む日本語原文章から構成、用字・用語またはスタイルに関するルールに反する構成、用字・用語またはスタイルを抽出する修正箇所抽出手段５、抽出された構成、用字・用語またはスタイルを表示する表示手段６、外部から入力されたデータを用いて抽出された構成、用字・用語またはスタイルを訂正、追加または削除して日本語原文章を修正する修正手段７、修正により得られた翻訳易文章を出力する出力手段８、を有する。
【０００９】
この実施の形態１に係わる日本語文章修正装置１は、図示しない中央演算処理ユニット（ＣＰＵ）、ＣＰＵの演算処理の手順を格納される図示しないＲＯＭ、演算処理のデータを一時記憶する図示しないＲＡＭ、外部記憶装置１１および入出力装置とのインタフェースとなる図示しないインタフェース回路を有するコンピュータ１０を備える。
また、この実施の形態１に係わる日本語文章修正装置１は、文章構成データベース２、用字・用語データベース３およびスタイルデータベース４が構成される大容量の外部記憶装置１１、表示手段６により制御されて文章を表示するモニタ１２、データを入力するキーボード１３および図示しないマウスを備える。この外部記憶装置１１、モニタ１２、キーボード１３およびマウスは、コンピュータ１０に接続されている。
【００１０】
日本語原文章は、少なくとも１つの文を含み、日本語で書かれている。この日本語原文章は、パーソナルコンピュータに実装された日本語文章作成アプリケーションを用いて作成され、電子データとして出力される。そして、日本語原文章は、例えば、フレキシブルディスク、ＩＣメモリ、ＨＤＤ、ＤＶＤなどの記憶媒体に保存される。
【００１１】
また、翻訳易文章は、日本語原文章と同様に、少なくとも１つの文を含み、日本語で書かれている。また、翻訳易文章は、日本語文章を例えば英語文章に機械翻訳する機能を有する汎用のアプリケーションで電子データとして取り扱われる。そして、翻訳易文章は、例えば、フレキシブルディスク、ＩＣメモリ、ＨＤＤ、ＤＶＤなどの記憶媒体に保存される。
【００１２】
図３は、文章構成データベースに登録されている機械翻訳し易い６つの文章構成に関するルールである。図３には、ルール内容、具体例、説明が記載されている。
文章構成データベース２には、図３に示すように、機械翻訳し易い６つの文章構成に関するルールが登録されている。
第１の構成ルールは、「文は、述語を１つだけ含む。」である。機械翻訳は、述語を中心にして解釈するので、述語または述語らしい語句が、１つの文に２つ以上含まれると機械翻訳が難しい。修正案は、「文を、述語の数だけ作成する」である。
第２の構成ルールは、「文は、終わりに句点（。）がある。」である。機械翻訳は、句点で区切られた範囲を単位として翻訳する。修正案は、「１つだけの主語に対応する１つだけの述語を含む複数の文に分ける。」である。
第３の構成ルールは、「文と文との間には、改行がある。」である。修正案は、「２つの文の間に、改行記号を入れる。」である。
第４の構成ルールは、「箇条書き文、項番付きの場合、閉じ括弧と句点が数字の後にある。」である。修正案は、「箇条書き番号または項番の数字には閉じ括弧と句点を挿入する。」である。
第５の構成ルールは、「文は、１つだけの主語が含まれる。」である。修正案は、「主語を追加または削除する。」である。このようにすると、１つの主語と１つの述語が対応して機械翻訳し易くなる。
第６の構成ルールは、「主語と述語とが対応する。」である。修正案は、「主語に適する述語に修正する。」である。
【００１３】
図４は、用字・用語データベースに登録されている機械翻訳し易い５つの用字・用語に関するルールである。図４には、ルール内容、具体例、説明が記載されている。
用字・用語データベース３には、図４に示すように、機械翻訳し易い５つの文章構成に関するルールが登録されている。
第１の用字・用語ルールは、「文は、敬語を含まない。」である。敬語は、日本語独特の上下関係を表す表現であり、そのまま機械翻訳しても、上下関係が表現されない。また、機械翻訳されても、「不明瞭」、「逃げ腰」、「何か裏に意味がある」などに翻訳される。修正案は、「敬語を削除する。」である。
第２の用字・用語ルールは、「文は、当て字、誤字、脱字を含まない」である。修正案は、「当て字、誤字、脱字を修正する。」である。
第３の用字・用語ルールは、「普通名詞は、漢字で表記される。」である。修正案は、「普通名詞であれば漢字で表記する。」である。このように普通名詞を漢字で表記すると、意味が正確に翻訳される。
第４の用字・用語ルールは、「固有名詞は、アルファベットで表記される。」である。修正案は、「固有名詞であればアルファベットで表記する」である。このように固有名詞をアルファベットで表記すると、固有名詞として翻訳される。
第５の用字・用語ルールは、「文は、パソコン独自の日本語記号を含まない。」である。日本語文書作成アプリケーション用の日本語記号は機械翻訳されない。修正案は、「半角記号に訂正する。」である。
【００１４】
図５は、スタイルデータベースに登録されている機械翻訳し易い３つのスタイルに関するルールである。図５には、ルール内容、具体例、説明が記載されている。
スタイルデータベース４には、図５に示すように、機械翻訳し易い３つのスタイルに関するルールが登録されている。
第１のスタイルルールは、「文は、曖昧な語句を含まない」である。機械翻訳は、曖昧な語句は意図しない語句に翻訳される可能性があり、文に曖昧な語句を含まないようにする。曖昧な語句とは、例えば、「など」、「なりそうな」である。修正案は、「曖昧な語句を訂正する。」である。
第２のスタイルルールは、「文は、分かり易い日本語で表記される。」である。分かり難い文章とは、例えば、「１つの文のなかで二重否定している」、「二重表現している」、または「問いかけの文章である」である。修正案は、「分かり易い日本語で書き直す。」である。
第３のスタイルルールは、「文は、冗長な表現を含まない」である。冗長な表現とは、例えば、「・・・するものとする」、「・・・することを期待する」、「いろいろ」、「さまざま」、「すごく」である。冗長な表現は、文章として読みにくく、意図も伝わらない。修正案は、「単純な表現に訂正する。」である。
【００１５】
修正箇所抽出手段５は、対象の日本語原文章を読み込む。また、修正箇所抽出手段５は、読み込んだ日本語原文章の文が、文章構成、用字・用語およびスタイルに関するルールを満たしているか否かを判断する。また、修正箇所抽出手段５は、文が文章構成、用字・用語およびスタイルに関するルールを満たしていないとき、表示手段６にルールを満たしていない文章構成、用字・用語またはスタイルを満たしていないルール内容と合わせて送る。
表示手段６は、ルールを満たしていない文章構成、用字・用語またはスタイルを受け取ったとき、モニタ１２に文の該当する箇所を色を変えて表示する。同時に、ルールの内容を表示する。
修正手段７は、入力されたデータで該当する文章構成、用字・用語またはスタイルを訂正、追加または削除して日本語原文章を修正して翻訳易文章を得る。
出力手段８は、翻訳易文章を記憶媒体に出力する。
【００１６】
図６は、日本語文章修正の手順を示すフローチャートである。
次に、実施の形態１に係わる日本語文章修正の手順について図６を参照して説明する。この手順はプログラムとしてＲＯＭに記憶されている。
ステップＳ１０１では、修正箇所抽出手段５は、修正対象の日本語原文章を外部から読み込む。
ステップＳ１０２では、修正箇所抽出手段５は、読み込んだ日本語原文章の先頭の文を取り込む。
ステップＳ１０３では、修正箇所抽出手段５は、取り込んだ文が文章構成データベース２に登録されている機械翻訳し易い構成に関するルール、用字・用語データベース３に登録されている機械翻訳し易い用字・用語に関するルール、およびスタイルデータベース４に登録されている機械翻訳し易いスタイルに関するルールを満たしているか否かを判断する。満たしているときにはステップＳ１０８に進む。満たしていないときにはステップＳ１０４へ進む。
ステップＳ１０４で、修正箇所抽出手段５は、満たしていない文、文の箇所および満たしていないルールを表示手段６に送る。
ステップＳ１０５で、表示手段６は、送られてきた文、文の箇所および満たしていないルールをモニタ１２の画面に表示する。
【００１７】
そして、日本語原文章を修正する人は、モニタ１２の画面に表示された内容をキーボード１３およびマウスを用いて修正してデータとして入力する。
ステップＳ１０６で、修正手段７は、入力されたデータを用いて文を修正する。
ステップＳ１０７で、修正箇所抽出手段５は、取り込んだ文が日本語原文章の最後の文か否かを判断し、最後の文でないときステップＳ１０８に進み、最後の文のときステップＳ１０９に進む。
ステップＳ１０８で、修正箇所抽出手段５は、日本語原文章の次の文を取り込み、ステップＳ１０３へ戻る。
ステップＳ１０９で、出力手段８は、修正された日本語原文章を外部に出力して日本語文章修正を終了する。
【００１８】
このような実施の形態１に係わる日本語文章修正装置１は、機械翻訳し易い構成、用字・用語およびスタイルに関するルールが予め文章構成データベース２、用字・用語データベース３スタイルデータベース４に登録され、そのルールに基づいて日本語原文章に含まれるルールを満たさない箇所を抽出し、それに従って修正するので、制御コードを含まない機械翻訳のし易い日本語文章に修正され、汎用の日本語文章を機械翻訳するアプリケーションで機械翻訳することができる。
【００１９】
なお、実施の形態１に係わる日本語文章修正装置１は、日本語文章を機械翻訳するアプリケーションが実装されるパソコンと別の装置として説明したが、パソコンに日本語文章修正装置１の外部記憶装置１１を装備し、パソコンに日本語文章修正するプログラムを実装することにより、修正した翻訳易文章をそのまま機械翻訳することができる。
【００２０】
また、パソコンに日本語文章を作成するアプリケーションを実装することにより、日本語文章の作成し修正することができるとともに、そのパソコンで機械翻訳を続けて行うことができる。
【００２１】
実施の形態２．
この発明の実施の形態２に係わる日本語文章修正装置は、実施の形態１に係わる日本語文章修正装置１に機械翻訳をし易いルールを満たしていないとき修正候補を文章構成データベース２、用字・用語データベース３およびスタイルデータベース４に登録されている修正候補を表示する機能が追加され、それ以外は同様であるので、同様な部分に同じ符号を付記して説明は省略する。
実施の形態２に係わる日本語文章修正装置では、修正箇所抽出手段５は、取り込んだ文がルールを満たしているか否かを判断し、ルールを満たしていないとき、表示手段６にルールを満たしていない文章構成、用字・用語またはスタイルを満たしていないルール内容と合わせて送る。さらに、ルール内容に対応して登録されている修正候補を表示手段６に送る。表示手段６は、ルールを満たしていない文章構成、用字・用語またはスタイルを受け取ったとき、モニタ１２に文の該当する箇所を色を変えて表示するとともに、ルールの内容を表示する。さらに、修正候補を表示する。
【００２２】
そして、日本語原文章を修正する人は、モニタ１２の画面に表示された内容をキーボード１３およびマウスを用いて修正してデータとして入力する。このとき、修正候補が表示されているので、適切なデータを入力することができる。
【図面の簡単な説明】
【００２３】
【図１】この発明の実施の形態１に係わる日本語文章修正装置の機能ブロック図である。
【図２】この発明の実施の形態１に係わる日本語文章修正装置の構成図である。
【図３】文章構成データベースに登録されている機械翻訳し易い６つの文章構成に関するルールである。
【図４】用字・用語データベースに登録されている機械翻訳し易い５つの用字・用語に関するルールである。
【図５】スタイルデータベースに登録されている機械翻訳し易い３つのスタイルに関するルールである。
【図６】日本語文章修正の手順を示すフローチャートである。
【符号の説明】
【００２４】
１  日本語文章修正装置、２  文章構成データベース、３  用字・用語データベース、４  スタイルデータベース、５  修正箇所抽出手段、６  表示手段、７  修正手段、８  出力手段、１０  コンピュータ、１１  外部記憶装置、１２  モニタ、１３  キーボード。
【図１】
2007316834.tif 000003
【図２】
2007316834.tif 000004
【図３】
2007316834.tif 000005
【図４】
2007316834.tif 000006
【図５】
2007316834.tif 000007
【図６】
2007316834.tif 000008